(57)【要約】【課題】  簡単な構成で、鎖体の輪の大きさを容易に且つ自由に調整できるようにした装身具とその製造手段を提供すること。  【解決手段】  首などに巻装できる鎖体と、該鎖体に掛止できる装飾体からなり、装飾体は中空の球状体で、鎖体の断面径よりやや大きい少なくとも２個の透孔がありかつ上記球体内に収められ、その外径が上記透孔よりやや大きく、内径が上記鎖体の断面径よりやや小さい円筒状の弾性係止片を設けてなる。【選択図】図１
0003133908.tif 000002
【実用新案登録請求の範囲】
【請求項１】
身体の首や手首や足首のような首部に捲装できるネックレス本体と、
このネックレス本体に吊設される１乃至複数固の装飾本体と、
上記装飾本体のネックレス本体への吊設部分は、装飾本体の該吊設部分に球軸受を設けて、装飾本体が揺動できるようにした、
ことを特徴とする装身具
【請求項２】
身体の首や手首や足首のような首部に捲装できるネックレス本体と、
このネックレス本体に吊設される複数固の装飾本体となり、
上記複数固の装飾本体の少なくとも両端の装飾本体は、これをネックレス本体に固定し、他の装飾本体のネックレス本体への吊設部分は、装飾本体の該吊設部分に球軸受を設けて、装飾本体が揺動できるようにしたことを特徴とする装身具
【考案の詳細な説明】
【技術分野】
【０００１】
この考案はネックレス，ブレスレット，アンクレット，バレッタ，ブローチ等の装身具の改良に関する。
【背景技術】
【０００２】
近頃の特にネックレスは、単にチェーン状のものを首に捲装するだけではなく、当該ネックレス本体の一部に宝石などを散りばめたブローチのような装飾本体が揺動したり摺動したりできるよう吊り下げ、この装飾本体が使用者の胸元を飾ると同時に使用者の歩行などで揺動し、あるいは少しネックレス本体に沿って滑動させることで、よりその存在をアピールするような構造のものが流行している。
【０００３】
この為には例えば上記紐状のネックレス本体に、装飾本体を緩く嵌挿させればよい［特許文献１］のであるが、特にこの装飾本体部分が比較的長い場合などは、歩行等による揺動で首に巻くネックレス本体と絡んで仕舞う虞がある。
【０００４】
そこでかかるネックレス本体と、装飾本体の接続部分は連結金具を設けて連結し装飾本体を揺動させるような手段が多数発明されている。
【０００５】
また例えば使用中に身体の動きがあっても、捩れることがなく宝石などの装飾片が揺動して美しく輝くペンダント提供できるようにした発明［特許文献２参照］、およびコイルバネを用いた発明［特許文献３参照］や、装飾片をネックレス本体に吊り下げて使用中の体の動きが装飾片に伝わり、該装飾片が微妙に揺動して装飾片に取付けられた宝石が充分に光り輝くようにした発明［特許文献４参照］がある。
【０００６】
しかし何れの場合も、ネックレス本体に吊り下げられた装飾本体が、人の歩行運動程度では充分に揺動することがなく、従って揺動によって装飾本体の存在をアピールする効果や、光りを放す効果は期待できないものがあった。
【０００７】
【特許文献１】特開２００５−２９０７９４
【特許文献２】特開２００１−８６４７１
【特許文献３】特開２００５−２６１８６５
【特許文献４】特開２００６−１１０３７３
【考案の開示】
【考案が解決しようとする課題】
【０００８】
而して本考案は、使用者が本考案の装飾具を使用したとき、そのネックレス本体の装飾本体がスムーズに揺動して、その装飾本体の存在を十分アピールすることができ、さらにこの揺動作用によって、装飾本体から発せられる光りを周囲に放すことができ、見るものの羨望を集めることができる装飾具を提供することにある。
【課題を解決するための手段】
【０００９】
しかして本考案装身具の特徴としては、身体の首や手首や足首のような首部に捲装できるネックレス本体と、このネックレス本体に吊設さられる１乃至複数固の装飾本体と、上記装飾本体のネックレス本体と吊設部分は、装飾本体の該吊設部分に球軸受を設けて、装飾本体が揺動できるようにしたことにある。
【００１０】
また、身体の首や手首や足首のような首部に捲装できるネックレス本体と、このネックレス本体に吊設さられる複数固の装飾本体となり、上記複数固の装飾本体の少なくとも両端の装飾本体は、これをネックレス本体に固定し、他の装飾本体のネックレス本体と吊設部分は、装飾本体の該吊設部分に球軸受を設けて、装飾本体が揺動できるようにしたことも本案の特徴である。
【考案の効果】
【００１１】
よって本考案は、使用者がこの本考案の装飾具を使用したときネックレス本体の装飾本体が球軸受を有することから確実に揺れ動き、その装飾本体の存在を十分アピールすることができ、さらにこの揺動作用によって装飾本体から発せられる光りを周囲に放すことができ、見るものの羨望を集めることができたのである。
【００１２】
また以下の実施例でも述べるように、その構造は比較的簡単で安価に量産できるのである。
【考案を実施するための最良の形態】
【００１３】
図１で（２）は、身体の首や手首や足首のような首部（１）に捲装できるネックレス本体で、（３）はこのネックレス本体（２）に吊設される１乃至複数固の装飾本体であり、図示のものはネックレス本体（２）に吊設される１乃至複数固の装飾本体（３）が５つ並べられ、夫々は３つの連続して吊り下げられた球状物（３ａ）（３ｂ）（３ｃ）で構成されており、その上段（３ａ）のみ紐状のネックレス本体（２）が貫通している。
【００１４】
また図２の実施例のものは、上記このネックレス本体（２）に吊設される装飾本体（３）が上下に大小のハート形部材（３ｄ）（３ｅ）（３ｆ）（３ｇ）（３ｈ）（３ｉ）状のもので、図では３つ並べられ夫々は上端のハート形部材（３ｄ）（３ｅ）（３ｆ）のみ紐状のネックレス本体（２）が貫通している。
【００１５】
しかして上記それぞれの装飾本体（３）のネックレス本体（２）への吊設部分は、装飾本体（３）の該吊設部分に球軸受（４）を設けて、装飾本体（３）が揺動できるようになっている。
【００１６】
この吊設部分に設けた球軸受（４）の構造の実施例は、図３と図５に示した。即ち図中（４）は鋼球で、上記紐状のネックレス本体（２）を固着或いは緩貫通させた内レース（５）の外周に接して放射状に配されている。
【００１７】
また（６）は外レースで、内レース（５）との間に鋼球（４）を挟んでいる。また図示してないがこれら内レース（５），外レース（６）の側面は鋼球（４）の抜出を防止するケージがあること勿論である。そしてこれら球軸受（４）はその外レース（６）を適宜の装飾本体（３）に固定するものである。
【００１８】
しかしてこのネックレス本体（２）を首（１）に巻装すれば、その使用者の歩行動作などで、特にネックレス本体（２）と装飾本体（３）との連結部分設けた球軸受（４）の存在で前後方向に揺れ動き、あるいは装飾本体（３）をネックレス本体（２）に緩嵌挿したものでは、ネックレス本体（２）の軸線方向にも滑動し、この揺動作用によって装飾本体から発せられる光りを周囲に放すことができ、見るもの羨望を集めることができたのである。
【００１９】
なお上記球軸受（４）は上記のような１段のものである必要はなく、図４のように２段あるいは複数段とすると、装飾本体（３）の揺動作用がよりスムーズでかつ、複雑な動きを呈するので、よりその存在を見るものにアピールできたのである。
【００２０】
またネックレス本体（２）と複数の装飾本体（３）との連結手段は、図１に示すようにその両端の装飾本体（３１），（３２）のみをネックレス本体（２）に固定すれば、装飾本体（３）が例えば背中方向に移動するなどの乱れを防止することができる。
【図面の簡単な説明】
【００２１】
【図１】本考案装身具の第１の実施例の一部切欠正面図
【図２】同装身具の第２の実施例の一部切欠正面図
【図３】本考案装身具における球軸受の第１の実施例正面図
【図４】同球軸受の第２の実施例正面図
【図５】図４のＶ〜Ｖ線縦断面図
【符号の説明】
【００２２】
１    首部
２    ネックレス本体
３    装飾本体
３ａ  球状物
３ｂ  球状物
３ｃ  球状物
３ｄ  ハート形部材
３ｅ  ハート形部材
３ｆ  ハート形部材
３ｇ  ハート形部材
３ｈ  ハート形部材
３ｉ  ハート形部材
４    球軸受
５    内レース
６    外レース
【図１】
0003133908.tif 000003
【図２】
0003133908.tif 000004
【図３】
0003133908.tif 000005
【図４】
0003133908.tif 000006
【図５】
0003133908.tif 000007